【手続補正書】
【提出日】平成28年9月26日(2016.9.26)
【手続補正１】
【補正対象書類名】特許請求の範囲
【補正対象項目名】全文
【補正方法】変更
【補正の内容】
【特許請求の範囲】
【請求項１】
転相インクであって、
アモルファス化合物であって、以下の式を有する酒石酸の第１のエステルを含み、
【化１】
2014065906.tif 000001
式中、Ｒ1、Ｒ2、Ｒ3、Ｒ4およびＲ5は、それぞれ独立して、アルキル基から選択され、アルキルは、約１〜約４０個の炭素原子を含む直鎖、分枝鎖または環状、飽和または不飽和、置換または非置換であるか、または置換または非置換の芳香族基またはヘテロ芳香族基である、アモルファス化合物と、
結晶性化合物であって、以下の式を有する酒石酸の第２のエステルを含み、
【化２】
2014065906.tif 000002
式中、Ｒ6およびＲ7は、それぞれ独立して、低級アルキル基、アルコキシ基またはこれらの組み合わせで場合により置換されたアリールまたはヘテロアリールから選択され、各ｎは、独立して、０〜３の整数から選択される、結晶性化合物と、
任意要素の着色剤と、
任意要素の共力剤と、
任意要素の分散剤と、
以下の式を有する少なくとも１つのポリヒドロキシアルカノエート化合物と、を含み、
【化３】
2014065906.tif 000003
式中、Ｒは、独立して、水素原子、炭化水素基、ヘテロ原子、およびこれらの組み合わせからなる群から選択され、
ｎは、１〜約３５，０００の繰り返し単位の数をあらわし、
ｘは、１〜約５の整数をあらわす、転相インク。
【請求項２】
前記結晶性化合物が、Ｌ−酒石酸ジベンジル、Ｌ−酒石酸ジフェネチル、Ｌ−酒石酸ビス（３−フェニル−１−プロピル）、Ｌ−酒石酸ビス（２−フェノキシエチル）、Ｌ−酒石酸ジフェニル、Ｌ−酒石酸ビス−４−メチルフェニル）、Ｌ−酒石酸ビス（４−メトキシルフェニル）、Ｌ−酒石酸ビス（４−メチルベンジル）、Ｌ−酒石酸ビス（４−メトキシベンジル）、立体異性体、およびこれらの混合物からなる群から選択される、請求項１に記載の転相インク。
【請求項３】
前記アモルファス化合物が、Ｌ−酒石酸ビス（２−イソプロピル−５−メチルシクロヘキシル）、（４−ｔ−ブチルシクロヘキシル）（シクロヘキシル）−Ｌ−酒石酸、立体異性体、およびこれらの混合物からなる群から選択される、請求項１に記載の転相インク。
【請求項４】
前記アモルファス化合物が、以下の式を有する化合物である、請求項１に記載の転相インク。
【化４】
2014065906.tif 000004
【請求項５】
前記結晶性化合物が、以下の式を有する化合物である、請求項１に記載の転相インク。
【化５】
2014065906.tif 000005
【請求項６】
前記着色剤が、顔料、染料、またはこれらの混合物または組み合わせである、請求項１に記載の転相インク。
【請求項７】
前記着色剤が、顔料である、請求項１に記載の転相インク。
【請求項８】
前記共力剤が、以下の式を有する化合物であり、
【化６】
2014065906.tif 000006
式中、Ａ、Ｂ、Ｃ、およびＤ、Ａ’、Ｂ’、Ｃ’、およびＤ’、Ａ”、Ｂ”、Ｃ”、およびＤ”、およびＡ’”、Ｂ’”、Ｃ’”、およびＤ’”は、それぞれ独立して、水素、ＳＯ3Ｈ、およびＳＯ3-からなる群から選択され、前記共力剤が、ｎが０、１、２、３、４またはそれ以上の混合物である、またはｎが０、１、および２の混合物である、化合物の混合物を含み、Ｒが、水素または約１から約５０個の炭素原子を含むアルキル基から選択される、請求項１に記載の転相インク。
【請求項９】
前記分散剤が、以下の式を有する化合物またはその混合物であり、
【化７】
2014065906.tif 000007
式中、ＲおよびＲ’は、同じまたは異なり、ＲおよびＲ’は、それぞれ独立して、約３７個の炭素原子を含む直鎖アルキル基、および約４７個の炭素原子を含む直鎖アルキル基からなる群から選択され、ｍは、約１から約３０の整数である、請求項１に記載の転相インク。
【請求項１０】
前記少なくとも１つのポリヒドロキシアルカノエート化合物のＲが、３−ヒドロキシプロピオネート、３−ヒドロキシブチレート、３−ヒドロキシバレレート、３−ヒドロキシヘキサノエート、３−ヒドロキシヘプタノエート、３−ヒドロキシオクタノエート、３−ヒドロキシノナノエート、３−ヒドロキシデカノエート、３−ヒドロキシウンデカノエート、３−ヒドロキシドデカノエートからなる群から選択される少なくとも１つの部分を含むホモポリマーまたはコポリマーであり、前記少なくとも１つの部分の繰り返し単位の数は、同じであってもよく、異なっていてもよい、請求項１に記載の転相インク。
【請求項１１】
前記少なくとも１つのポリヒドロキシアルカノエート化合物が、少なくとも１つの（３−ヒドロキシヘプタノエート）−３−ヒドロキシノナノエート）コポリマーであるか、または
前記少なくとも１つのポリヒドロキシアルカノエート化合物は、少なくとも１つのポリ（３−ヒドロキシヘプタン酸  コ−３−ヒドロキシノナン酸）である、請求項１に記載の転相インク。
【請求項１２】
転相インク組成物を調製する方法であって、
アモルファス化合物と、結晶性化合物と、任意要素の着色剤と、任意要素の共力剤と、任意要素の分散剤と、少なくとも１つのポリヒドロキシアルカノエート化合物を合わせ、転相インク組成物を製造することを含み、
前記アモルファス化合物が、以下の式を有する酒石酸の第１のエステルを含み、
【化８】
2014065906.tif 000008
式中、Ｒ1、Ｒ2、Ｒ3、Ｒ4およびＲ5は、それぞれ独立して、アルキル基から選択され、アルキルは、約１〜約４０個の炭素原子を含む直鎖、分枝鎖または環状、飽和または不飽和、置換または非置換であるか、または置換または非置換の芳香族基またはヘテロ芳香族基であり、
結晶性化合物が、以下の式を有する酒石酸の第２のエステルを含み、
【化９】
2014065906.tif 000009
式中、Ｒ6およびＲ7は、それぞれ独立して、低級アルキル基、アルコキシ基またはこれらの組み合わせで場合により置換されたアリールまたはヘテロアリールから選択され、各ｎは、独立して、０〜３の整数から選択され、
前記少なくとも１つのポリヒドロキシアルカノエート化合物が、以下の式を有し、
【化１０】
2014065906.tif 000010
式中、Ｒは、独立して、水素原子、炭化水素基、ヘテロ原子、およびこれらの組み合わせからなる群から選択され、ｎは、１〜約３５，０００の繰り返し単位の数をあらわし、ｘは、１〜約５の整数をあらわす、方法。
【請求項１３】
前記アモルファス化合物が、以下の式を有する化合物である、請求項１２に記載の方法。
【化１１】
2014065906.tif 000011
【請求項１４】
前記結晶性化合物が、以下の式を有する化合物である、請求項１２に記載の方法。
【化１２】
2014065906.tif 000012
【請求項１５】
前記少なくとも１つのポリヒドロキシアルカノエート化合物が、少なくとも１つの（３−ヒドロキシヘプタノエート）−３−ヒドロキシノナノエート）コポリマーであるか、または
前記少なくとも１つのポリヒドロキシアルカノエート化合物は、少なくとも１つのポリ（３−ヒドロキシヘプタン酸  コ−３−ヒドロキシノナン酸）である、請求項１２に記載の方法。
【請求項１６】
転相インク組成物を含有し、転相インク組成物を製造する、インクジェットプリンターのスティックまたはペレットであって、
前記転相インク組成物が、
アモルファス化合物であって、以下の式を有する酒石酸の第１のエステルを含み、
【化１３】
2014065906.tif 000013
式中、Ｒ1、Ｒ2、Ｒ3、Ｒ4、Ｒ5は、それぞれ独立して、アルキル基から選択され、アルキルは、約１〜約４０個の炭素原子を含む直鎖、分枝鎖または環状、飽和または不飽和、置換または非置換であるか、または置換または非置換の芳香族またはヘテロ芳香族基である、アモルファス化合物と、
結晶性化合物であって、以下の式を有する酒石酸の第２のエステルを含み、
【化１４】
2014065906.tif 000014
式中、Ｒ6およびＲ7は、それぞれ独立して、低級アルキル基、アルコキシ基またはこれらの組み合わせで場合により置換されたアリールまたはヘテロアリールから選択され、各ｎは、独立して、０〜３の整数から選択される、結晶性化合物と、
任意要素の着色剤と、
任意要素の共力剤と、
任意要素の分散剤と、
以下の式を有する少なくとも１つのポリヒドロキシアルカノエート化合物と、を含み、
【化１５】
2014065906.tif 000015
式中、Ｒは、独立して、水素原子、炭化水素基、ヘテロ原子、およびこれらの組み合わせからなる群から選択され、ｎは、１〜約３５，０００の繰り返し単位の数をあらわし、ｘは、１〜約５の整数をあらわす、
インクジェットプリンターのスティックまたはペレット。
【請求項１７】
前記少なくとも１つのポリヒドロキシアルカノエート化合物が、少なくとも１つの（３−ヒドロキシヘプタノエート）−３−ヒドロキシノナノエート）コポリマーであるか、または
前記少なくとも１つのポリヒドロキシアルカノエート化合物は、少なくとも１つのポリ（３−ヒドロキシヘプタン酸  コ−３−ヒドロキシノナン酸）である、請求項１６に記載のインクジェットプリンターのスティックまたはペレット。